(57)【要約】【課題】複数の画像供給装置から送信された供給画像を共通の画面にレイアウトして表示する画像表示システムにおいて、画面の表示内容の変更操作における利便性を向上する技術を提供する。【解決手段】画像表示システム１０００は、複数の画像供給装置１００ａ〜１００ｄと、画像表示装置２００とを備える。画像表示装置２００は、投写スクリーンＳＣを一つ又は複数の画面領域に分割することにより、各画像供給装置１００ａ〜１００ｄから供給された供給画像を同時に表示することができる。各画像供給装置１００ａ〜１００ｄは、各ユーザーが投写スクリーンＳＣにおける表示レイアウトを操作できる操作ウィンドウ３００を表示部１６０に表示するとともに、操作ウィンドウ３００を除いた表示部１６０の表示画像を、供給画像として画像表示装置２００に供給する。【選択図】図９
2010278824.tif 000002
【特許請求の範囲】
【請求項１】
複数のユーザーに共通の画像を視認させる単一の共通画面を有する画像表示システムであって、
画像表示部と、前記画像表示部において表示される画像を用いて供給画像を生成し、外部へと送信する画像送信部とを有する複数の画像供給装置と、
前記共通画面を１つ又は複数の画面領域に分割して、前記複数の画像供給装置のそれぞれから供給された前記供給画像を、前記１つ又は複数の画面領域に表示可能な画像表示装置と、
を備え、
前記複数の画像供給装置はそれぞれ、前記画像表示部に、ユーザーが前記共通画面における表示状態を操作できる共通画面操作用画像を表示するとともに、前記共通画面操作用画像を除いた前記画像表示部の表示画像を、前記供給画像として、前記画像表示装置に供給し、
前記画像表示装置は、前記複数の画像供給装置のそれぞれにおける前記ユーザーによる前記共通画面操作用画像を介した操作に応じて、前記共通画面の表示状態を変更する、画像表示システム。
【請求項２】
請求項１記載の画像表示システムであって、
前記共通画面操作用画像は、前記共通画面における前記１つ又は複数の画面領域の構成を示す分割レイアウト枠を有するレイアウト画像を含み、
前記分割レイアウト枠は、前記ユーザーの前記共通画面操作用画像上における操作により変更することができ、
前記画像表示装置は、前記分割レイアウト枠の変更に従って、前記共通画面における前記１つ又は複数の画面領域の構成を変更して表示する、画像表示システム。
【請求項３】
請求項２記載の画像表示システムであって、
前記画像表示装置は、前記ユーザーが、前記共通画面操作用画像上において、
（ｉ）前記分割レイアウト枠の境界を、前記レイアウト枠内の領域にドラッグする操作をしたときに、新たな分割レイアウト枠を生成し、
（ｉｉ）前記分割レイアウト枠同士の間に存在する境界を、前記レイアウト画像の外側へとドラッグする操作をしたときに、前記分割レイアウト枠を消去する、画像表示システム。
【請求項４】
請求項２または請求項３に記載の画像表示システムであって、
前記共通画面操作用画像は、前記複数の画像供給装置から供給された前記供給画像をそれぞれ識別するための識別画像の一覧を表示する識別画像一覧領域を有し、
前記画像表示装置は、前記共通画面操作用画像上の前記識別画像一覧領域において前記ユーザーが選択した前記識別画像によって識別される前記供給画像を表示する、画像表示システム。
【請求項５】
請求項４に記載の画像表示システムであって、
前記画像表示装置は、前記ユーザーが、前記識別画像一覧領域から選択した前記識別画像を、前記分割レイアウト枠内にドラッグアンドドロップしたときに、前記識別画像によって識別される前記供給画像を、前記識別画像がドラッグアンドドロップされた前記分割レイアウト枠に対応する前記共通画面における画面領域に表示する、画像表示システム。
【請求項６】
請求項４または請求項５に記載の画像表示システムであって、
前記画像供給装置は、前記ユーザーが、前記識別画像一覧領域から選択した前記識別画像を前記分割レイアウト枠内の外周縁に片寄った位置にドラッグアンドドロップしたときに、前記片寄った位置に対応する領域に、前記識別画像によって識別される前記供給画像のための新たな分割レイアウト枠を生成し、
前記画像表示装置は、前記共通画面の前記新たな分割レイアウト枠に対応する画面領域に、前記識別画像によって識別される前記供給画像を表示する、画像表示システム。
【請求項７】
請求項１ないし請求項６のいずれか一項に記載の画像表示システムであって、
前記共通画面操作用画像は、前記共通画面における分割数を切り替えるための切替スイッチ画像を含み、
前記画像表示装置は、前記共通画面を、前記ユーザーが前記切替スイッチ画像によって指定した分割数で分割する、画像表示システム。
【請求項８】
複数の画像供給装置のそれぞれから供給される供給画像を、画像表示装置を介して、１つ又は複数の画面領域に分割された単一の共通画面に表示可能な画像表示システムにおける画像表示方法であって、
（ａ）前記複数の画像供給装置のそれぞれの画像表示部に、ユーザーが前記共通画面の分割状態を操作するための共通画面操作用画像を表示する工程と、
（ｂ）前記複数の画像供給装置のそれぞれにおいて、前記共通画面操作用画像を除いた前記画像表示部に表示された画像を用いて前記供給画像を生成し、前記画像表示装置に供給する工程と、
（ｃ）前記画像表示装置において、前記複数の画像供給装置のそれぞれにおける前記ユーザーによる前記共通画面操作用画像を介した操作に応じて、前記共通画面の表示状態を変更する工程と、
を備える、画像表示方法。
【請求項９】
画像表示部と、前記画像表示部において表示される画像を用いて供給画像を生成し、外部へと送信する画像送信部とを有する複数の画像供給装置からの前記供給画像を、複数のユーザーに共通の画像を視認させるための単一の共通画面に表示可能な画像表示装置であって、
前記複数の画像供給装置のそれぞれの前記画像表示部に表示された共通画面操作用画像を介したユーザーによる操作に応じて、前記共通画面の表示状態を変更するとともに、
前記共通画面を１つ又は複数の画面領域に分割して、前記共通画面操作用画像を除いた前記画像表示部の表示画像を表示する、画像表示装置。
【発明の詳細な説明】
【技術分野】
【０００１】
この発明は、複数の画像供給装置から供給された各画像を、単一の共通画面に表示させる画像表示システムに関する。
【背景技術】
【０００２】
プレゼンテーションや会議などにおいては、複数の参加者のそれぞれが操作するパーソナルコンピューターなどの端末の表示画面を、全ての参加者が視認できる単一の共通画面に表示できる画像表示システムが用いられる場合がある。下記特許文献１では、投影画面を複数の画像領域に分割して、複数の画像生成装置から画像投影装置に送信された各画像をそれぞれの分割画像領域にレイアウトして同時に投影する技術が提案されている（特許文献１等）。
【０００３】
ところで、プレゼンテーションや会議では、一般に、発表者や発言者が持ち回りで交代するなど、参加者の役割が流動的に入れ替わる。従って、各参加者の端末の表示画面を共通画面に分割表示している場合には、効果的なプレゼンテーションや、議論の活性化のために、共通画面のレイアウトの変更操作を効率的に行えることが好ましい。しかし、これまで、そうした画像表示システムの利便性の向上について、十分な工夫がなされていないのが実情であった。
【先行技術文献】
【特許文献】
【０００４】
【特許文献１】ＷＯ２００５／０８８６０２号公報
【特許文献２】特許第４０１０１９８号公報
【発明の概要】
【発明が解決しようとする課題】
【０００５】
本発明は、複数の画像供給装置から送信された供給画像を共通の画面にレイアウトして表示する画像表示システムにおいて、画面の表示内容の変更操作における利便性を向上する技術を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］
複数のユーザーに共通の画像を視認させる単一の共通画面を有する画像表示システムであって、
画像表示部と、前記画像表示部において表示される画像を用いて供給画像を生成し、外部へと送信する画像送信部とを有する複数の画像供給装置と、
前記共通画面を１つ又は複数の画面領域に分割して、前記複数の画像供給装置のそれぞれから供給された前記供給画像を、前記１つ又は複数の画面領域に表示可能な画像表示装置と、
を備え、
前記複数の画像供給装置はそれぞれ、前記画像表示部に、ユーザーが前記共通画面における表示状態を操作できる共通画面操作用画像を表示するとともに、前記共通画面操作用画像を除いた前記画像表示部の表示画像を、前記供給画像として、前記画像表示装置に供給し、
前記画像表示装置は、前記複数の画像供給装置のそれぞれにおける前記ユーザーによる前記共通画面操作用画像を介した操作に応じて、前記共通画面の表示状態を変更する、画像表示システム。
この画像表示システムによれば、各画像供給装置のユーザーがそれぞれに、共通画面操作用画像を介して、共通画面の表示内容を変更させることができる。従って、各ユーザーが任意に共通画面の表示内容を変更できるため、各ユーザーにとっての利便性が向上する。また、共通画面には、各画像供給装置における表示画像を用いて生成された供給画像が表示されるが、その供給画像には、共通画面操作用画像が含まれない。従って、各ユーザーは、共通画面に所望の画像のみを表示させることができるため、各ユーザーにとっての利便性が、さらに向上する。
【０００８】
［適用例２］
適用例１記載の画像表示システムであって、
前記共通画面操作用画像は、前記共通画面における前記１つ又は複数の画面領域の構成を示す分割レイアウト枠を有するレイアウト画像を含み、
前記分割レイアウト枠は、前記ユーザーの前記共通画面操作用画像上における操作により変更することができ、
前記画像表示装置は、前記分割レイアウト枠の変更に従って、前記共通画面における前記１つ又は複数の画面領域の構成を変更して表示する、画像表示システム。
この画像表示システムによれば、各ユーザーが任意に共通画面の画面構成を変更できるため、各ユーザーにとっての利便性が向上する。
【０００９】
［適用例３］
適用例２記載の画像表示システムであって、
前記画像表示装置は、前記ユーザーが、前記共通画面操作用画像上において、
（ｉ）前記分割レイアウト枠の境界を、前記レイアウト枠内の領域にドラッグする操作をしたときに、新たな分割レイアウト枠を生成し、
（ｉｉ）前記分割レイアウト枠同士の間に存在する境界を、前記レイアウト画像の外側へとドラッグする操作をしたときに、前記分割レイアウト枠を消去する、画像表示システム。
この画像表示システムによれば、各ユーザーが、共通画面操作用画像上で、分割レイアウト枠の境界をドラッグすることにより、分割レイアウト枠を増加または減少させることができる。従って、各ユーザーが任意に共通画面の表示レイアウトを変更でき、各ユーザーにとっての利便性が向上する。
【００１０】
［適用例４］
適用例２または適用例３に記載の画像表示システムであって、
前記共通画面操作用画像は、前記複数の画像供給装置から供給された前記供給画像をそれぞれ識別するための識別画像の一覧を表示する識別画像一覧領域を有し、
前記画像表示装置は、前記共通画面操作用画像上の前記識別画像一覧領域において前記ユーザーが選択した前記識別画像によって識別される前記供給画像を表示する、画像表示システム。
この画像表示システムによれば、各ユーザーは、共通画面操作用画像上の識別画像一覧領域において、供給画像を表す識別画像を任意に選択することによって、共通画面において当該供給画像を表示させることができる。従って、各ユーザーが任意に共通画面の表示状態を変更でき、各ユーザーにとっての利便性が向上する。
【００１１】
［適用例５］
適用例４に記載の画像表示システムであって、
前記画像表示装置は、前記ユーザーが、前記識別画像一覧領域から選択した前記識別画像を、前記分割レイアウト枠内にドラッグアンドドロップしたときに、前記識別画像によって識別される前記供給画像を、前記識別画像がドラッグアンドドロップされた前記分割レイアウト枠に対応する前記共通画面における画面領域に表示する、画像表示システム。
この画像表示システムによれば、各ユーザーは、共通画面操作用画像上において、各供給画像を表す識別画像をドラッグアンドドロップすることによって、共通画面における各供給画像のレイアウトを変更することができる。従って、各ユーザーが任意に共通画面の表示レイアウトを変更でき、各ユーザーにとっての利便性が向上する。
【００１２】
［適用例６］
適用例４または適用例５に記載の画像表示システムであって、
前記画像供給装置は、前記ユーザーが、前記識別画像一覧領域から選択した前記識別画像を前記分割レイアウト枠内の外周縁に片寄った位置にドラッグアンドドロップしたときに、前記片寄った位置に対応する領域に、前記識別画像によって識別される前記供給画像のための新たな分割レイアウト枠を生成し、
前記画像表示装置は、前記共通画面の前記新たな分割レイアウト枠に対応する画面領域に、前記識別画像によって識別される前記供給画像を表示する、画像表示システム。
この画像表示システムによれば、各ユーザーは、共通画面操作用画像上において、供給画像を表す識別画像をドラッグアンドドロップすることによって、共通画面において、当該供給画像のための分割レイアウト枠を生成させることができる。従って、各ユーザーが任意に共通画面の表示レイアウトを変更でき、各ユーザーにとっての利便性が向上する。
【００１３】
［適用例７］
適用例１ないし適用例６のいずれか一項に記載の画像表示システムであって、
前記共通画面操作用画像は、前記共通画面における分割数を切り替えるための切替スイッチ画像を含み、
前記画像表示装置は、前記共通画面を、前記ユーザーが前記切替スイッチ画像によって指定した分割数で分割する、画像表示システム。
この画像表示システムによれば、各ユーザーは、共通画面操作用画像上の切替スイッチ画像を操作することによって、共通画面において分割レイアウト枠を増減させることができる。従って、各ユーザーが任意に共通画面の表示レイアウトを変更でき、各ユーザーにとっての利便性が向上する。
【００１４】
［適用例８］
複数の画像供給装置のそれぞれから供給される供給画像を、画像表示装置を介して、１つ又は複数の画面領域に分割された単一の共通画面に表示可能な画像表示システムにおける画像表示方法であって、
（ａ）前記複数の画像供給装置のそれぞれの画像表示部に、ユーザーが前記共通画面の分割状態を操作するための共通画面操作用画像を表示する工程と、
（ｂ）前記複数の画像供給装置のそれぞれにおいて、前記共通画面操作用画像を除いた前記画像表示部に表示された画像を用いて前記供給画像を生成し、前記画像表示装置に供給する工程と、
（ｃ）前記画像表示装置において、前記複数の画像供給装置のそれぞれにおける前記ユーザーによる前記共通画面操作用画像を介した操作に応じて、前記共通画面の表示状態を変更する工程と、
を備える、画像表示方法。
この画像表示方法によれば、各画像供給装置のユーザーがそれぞれに、共通画面操作用画像を介して、共通画面の表示内容を変更させることができる。従って、各ユーザーが任意に共通画面の表示内容を変更できるため、各ユーザーにとっての利便性が向上する。また、共通画面には、各画像供給装置における表示画像を用いて生成された供給画像が表示されるが、その供給画像には、共通画面操作用画像が含まれない。従って、各ユーザーは、共通画面に所望の画像のみを表示させることができるため、各ユーザーにとっての利便性が、さらに向上する。
【００１５】
［適用例９］
画像表示部と、前記画像表示部において表示される画像を用いて供給画像を生成し、外部へと送信する画像送信部とを有する複数の画像供給装置からの前記供給画像を、複数のユーザーに共通の画像を視認させるための単一の共通画面に表示可能な画像表示装置であって、
前記複数の画像供給装置のそれぞれの前記画像表示部に表示された共通画面操作用画像を介したユーザーによる操作に応じて、前記共通画面の表示状態を変更するとともに、
前記共通画面を１つ又は複数の画面領域に分割して、前記共通画面操作用画像を除いた前記画像表示部の表示画像を表示する、画像表示装置。
この画像表示装置によれば、共通画面に表示される画像には、共通画面操作用画像が含まれない。従って、各ユーザーは、共通画面に所望の画像のみを表示させることができるため、各ユーザーにとっての利便性が、さらに向上する。
【００１６】
なお、本発明は、種々の形態で実現することが可能であり、例えば、画像表示システム（画像表示装置）および画像表示方法、それらの方法またはシステムの機能を実現するためのコンピュータープログラム、そのコンピュータープログラムを記録した記録媒体等の形態で実現することができる。
【図面の簡単な説明】
【００１７】
【図１】画像表示システムの構成を示す概略図。
【図２】画像供給装置の内部構成を示すブロック図。
【図３】画像表示装置の内部構成を示すブロック図。
【図４】各画像供給装置と画像表示装置との間における接続の確立のためのやりとりを説明するための説明図。
【図５】操作ウィンドウを説明するための説明図。
【図６】投写スクリーンに表示される待ち受け画像を示す模式図。
【図７】画像表示装置が供給画像を投写スクリーンに投写している状態を示す模式図と、操作ウィンドウを示す模式図。
【図８】画像表示装置が供給画像を投写スクリーンに投写している状態を示す模式図と、操作ウィンドウを示す模式図。
【図９】画像表示装置が供給画像を投写スクリーンに投写している状態を示す模式図と、操作ウィンドウを示す模式図。
【図１０】表示レイアウトの変更操作を受け付けたときの各画像供給装置と、画像表示装置との間のやりとりを説明するための説明図。
【図１１】操作ウィンドウの表示モード切替ボタンによる投写スクリーンにおける表示レイアウトモードの切替を説明するための説明図。
【図１２】画像表示装置が画像表示装置に接続したときの投写スクリーンの表示レイアウトの変化を説明するための模式図。
【図１３】操作ウィンドウにおける表示モード切替ボタンの第１のボタンによる投写スクリーンの表示内容の変更操作を説明するための模式図。
【図１４】操作ウィンドウにおける表示モード切替ボタンの第１のボタンによる投写スクリーンの表示内容の変更操作を説明するための模式図。
【図１５】操作ウィンドウにおける表示モード切替ボタンの第１のボタンによる投写スクリーンの表示内容の変更操作を説明するための模式図。
【図１６】操作ウィンドウにおける表示モード切替ボタンの第２のボタンによる投写スクリーンの表示内容の変更操作を説明するための模式図。
【図１７】操作ウィンドウにおける表示モード切替ボタンの第３のボタンによる投写スクリーンの表示内容の変更操作を説明するための模式図。
【図１８】操作ウィンドウにおけるスライダーを用いた投写スクリーンの表示内容の変更操作を説明するための模式図。
【図１９】操作ウィンドウにおけるスライダーを用いた投写スクリーンの表示内容の変更操作を説明するための模式図。
【図２０】操作ウィンドウにおけるスライダーを用いた投写スクリーンの表示内容の変更操作を説明するための模式図。
【図２１】操作ウィンドウにおけるスライダーを用いた投写スクリーンの表示内容の変更操作を説明するための模式図。
【図２２】操作ウィンドウにおけるスライダーを用いた投写スクリーンの表示内容の変更操作を説明するための模式図。
【図２３】操作ウィンドウにおけるスライダーを用いた投写スクリーンの表示内容の変更操作を説明するための模式図。
【図２４】操作ウィンドウにおけるスライダーを用いた投写スクリーンの表示内容の変更操作を説明するための模式図。
【図２５】操作ウィンドウにおけるポインターを用いた画像選択による投写スクリーンの表示状態の変更操作を説明するための模式図。
【図２６】操作ウィンドウにおけるポインターを用いたＩＤ画像選択による投写スクリーンの表示状態の変更操作を説明するための模式図。
【図２７】操作ウィンドウにおけるポインターを用いたＩＤ画像選択による投写スクリーンの表示状態の変更操作を説明するための模式図。
【図２８】操作ウィンドウにおけるポインターを用いたＩＤ画像のドラッグアンドドロップによる投写スクリーンの表示状態の変更操作を説明するための模式図。
【図２９】操作ウィンドウにおけるポインターを用いたＩＤ画像のドラッグアンドドロップによる投写スクリーンの表示状態の変更操作を説明するための模式図。
【図３０】操作ウィンドウにおけるポインターを用いたＩＤ画像のドラッグアンドドロップによる投写スクリーンの表示状態の変更操作を説明するための模式図。
【図３１】操作ウィンドウにおけるポインターを用いたＩＤ画像のドラッグアンドドロップによる投写スクリーンの表示モードの切替操作を説明するための模式図。
【図３２】操作ウィンドウにおけるポインターを用いたＩＤ画像のドラッグアンドドロップによる投写スクリーンの表示モードの切替操作を説明するための模式図。
【発明を実施するための形態】
【００１８】
A．実施例：
図１は本発明の一実施例としての画像表示システムの構成を示す概略図である。この画像表示システム１０００は、４つの画像供給装置１００ａ〜１００ｄと、画像表示装置２００と、投写スクリーンＳＣとを備える。４つの画像供給装置１００ａ〜１００ｄはそれぞれ、画像表示装置２００とローカルエリアネットワーク（ＬＡＮ）を介して接続可能である。各画像供給装置１００ａ〜１００ｄは、画像表示装置２００との間の接続を確立した後、自身が表示しているデスクトップ画像などの表示画像を用いて生成した供給画像を、画像表示装置２００へと送信する。画像表示装置２００は、各画像供給装置１００ａ〜１００ｄから供給された画像を、投写スクリーンＳＣ上に分割レイアウトして同時に表示することが可能である。
【００１９】
画像表示システム１０００は、例えば、会議やプレゼンテーションなど、複数の参加者が事前に準備した資料画像を提示しつつ互いに話し合う場面において用いることができる。各参加者は、４つの画像供給装置１００ａ〜１００ｄのいずれかにログインして、画像表示装置２００を介して、各自の資料画像を、参加者全員が視認できる共通の投写スクリーンＳＣに投写表示させる。
【００２０】
図２は、第１の画像供給装置１００ａの内部構成を示すブロック図である。なお、他の第２ないし第４の画像供給装置１００ｂ〜１００ｄの内部構成も同様であるため、その図示および説明は省略する。
【００２１】
第１の画像供給装置１００ａは、例えばオペレーティングシステムとしてＷｉｎｄｏｗｓ（登録商標）を搭載するパーソナルコンピューターやノートパソコンによって構成することができる。具体的には、第１の画像供給装置１００ａは、中央処理装置（ＣＰＵ）１１０と、ハードディスクドライブ（ＨＤ）１２０と、描画用メモリー（ＶＲＡＭ）１３０と、ランダムアクセスメモリー（ＲＡＭ）１４０とを備える。また、第１の画像供給装置１００ａは、さらに、操作部１５０と、表示部１６０と、無線ＬＡＮインターフェース（ＩＦ）１７０とを備える。これらの各構成要素１１０〜１７０は、バス１８０を介して互いに接続されている。
【００２２】
ＣＰＵ１１０は、各種演算処理を実行する論理回路であり、ＨＤ１２０などの外部記憶装置に格納されているプログラムやモジュールを、主記憶装置であるＲＡＭ１４０に展開して実行する。ＲＡＭ１４０は、揮発性のメモリーであり、ＣＰＵ１１０の演算結果や、画像表示装置２００に供給する供給画像データなどを一時的に格納する。ＶＲＡＭ１３０は、データに基づいて描画された表示画像のデータを展開し、一時的にバッファしておくためのメモリーであり、一般的に、ＲＡＭ１４０より高速なデータの読み書きが可能である。
【００２３】
操作部１５０は、第１の画像供給装置１００ａのユーザーである参加者からの操作を受け付けるインターフェースであり、例えば、キーボードや、タッチパッド、マウスなどによって構成される。表示部１６０は、例えば、液晶ディスプレイによって構成され、ＶＲＡＭ１３０に保持される内容に基づいて画像を表示する。無線ＬＡＮ／ＩＦ１７０は、第１の画像供給装置１００ａと外部機器とを無線によって接続するためのインターフェースである。第１の画像供給装置１００ａは、無線ＬＡＮ／ＩＦ１７０を介して、画像表示装置２００と信号をやりとりする。
【００２４】
ＨＤ１２０には、画像供給プログラムＰ１が格納されている。画像供給プログラムＰ１は、画像表示装置２００に供給する供給画像データを生成して送信するとともに、投写スクリーンＳＣの表示状態を変更操作するためのインターフェースをユーザーである参加者に提供する。画像供給プログラムＰ１は、画像キャプチャモジュールＭ１と、供給画像生成モジュールＭ２と、通信制御モジュールＭ３と、ユーザーインターフェースモジュールＭ４とを有する。
【００２５】
画像キャプチャモジュールＭ１は、表示部１６０の表示画像をキャプチャする。即ち、画像キャプチャモジュールＭ１は、ＶＲＡＭ１３０から、表示部１６０に表示されている画像のデータを取得する。供給画像生成モジュールＭ２は、画像キャプチャモジュールＭ１が取得した画像データを用いて、画像表示装置２００に供給するための供給画像データを生成する。具体的な供給画像データの内容およびその生成方法については後述する。
【００２６】
通信制御モジュールＭ３は、無線ＬＡＮ／ＩＦ１７０を制御して、画像表示装置２００との間の通信を制御する。具体的には、通信制御モジュールＭ３は、画像表示装置２００の機種情報を取得して、画像表示装置２００との間の接続を確立する。ここで、「画像表示装置２００の機種情報」には、画像表示装置２００を特定するための識別情報や、画像表示装置２００の画像再生特性に関する情報（例えば、表示可能な最大解像度や、カラープロファイルなど）が含まれる。また、通信制御モジュールＭ３は、供給画像生成モジュールＭ２が生成した供給画像データを画像表示装置２００へと送信する。
【００２７】
ユーザーインターフェースモジュールＭ４は、表示部１６０にユーザーインターフェース用の画像である操作ウィンドウ（後述）を表示し、操作ウィンドウを介して、ユーザーの指示を受け付ける。ユーザーインターフェースモジュールＭ４が受け付けたユーザーの指示は、通信制御モジュールＭ３が、画像表示装置２００へと送信する。また、ユーザーインターフェースモジュールＭ４は、画像表示装置２００から送信される操作ウィンドウの更新情報（後述）を取得するとともに、操作ウィンドウの表示内容を更新する。
【００２８】
図３は、画像表示装置２００の内部構成を示すブロック図である。画像表示装置２００は、プロジェクターであり、ＣＰＵ２１０と、不揮発性メモリーであるＥＥＰＲＯＭ２２０と、ＲＡＭ２３０と、ＶＲＡＭ２４０と、操作部２５０と、画像表示部２６０と、光学系２７０と、無線ＬＡＮ／ＩＦ２８０とを備えている。これらの各構成部２１０〜２８０は、バス２９０を介して互いに接続されている。
【００２９】
ＣＰＵ２１０は、各種演算処理を実行する論理回路であり、ＥＥＰＲＯＭ２２０に格納されているプログラムやモジュールをＲＡＭ２３０に展開して実行する。ＲＡＭ２３０は、ＣＰＵ２１０の演算結果を一時的に格納する。ＶＲＡＭ２４０は、表示用画像データに基づいて生成された描画データ（例えば、ビットマップ方式で配置された画素値のデータ）を一時的にバッファする。操作部２５０は、操作ボタンやタッチパネルなどによって構成され、投写画像のズームやフォーカスをはじめとする表示状態の調整など、画像表示装置２００に関する各種操作を受け付ける。
【００３０】
画像表示部２６０は、ＶＲＡＭ２４０に格納されている描画データに基づいて、液晶パネルや、デジタル・マイクロミラー・デバイス（ＤＭＤ）を用いて、ＲＧＢ光源から射出された光を変調し、投写用の画像を生成する。光学系２７０は、複数のレンズによって構成され、画像表示部２６０によって生成された画像を、そのサイズやフォーカスを調整して投写スクリーンＳＣに投写する。無線ＬＡＮ／ＩＦ２８０は、画像表示装置２００と外部機器とを無線によって接続するためのインターフェースである。画像表示装置２００は、無線ＬＡＮ／ＩＦ２８０を介して、各画像供給装置１００ａ〜１００ｄと信号をやりとりする。
【００３１】
ＥＥＰＲＯＭ２２０には、画像表示装置２００を制御するための制御プログラムＰ２０が格納されている。制御プログラムＰ２０は、画像取得モジュールＭ２１と、表示レイアウト制御モジュールＭ２２と、表示画像生成モジュールＭ２３と、表示画像出力モジュールＭ２４と、更新情報生成モジュールＭ２５と、通信制御モジュールＭ２６とを有している。
【００３２】
画像取得モジュールＭ２１は、各画像供給装置１００ａ〜１００ｄから供給される供給画像データを取得する。表示レイアウト制御モジュールＭ２２は、各画像供給装置１００ａ〜１００ｄから送信されるユーザーの指示に従って、供給画像の投写スクリーンＳＣ上におけるレイアウト表示の設定を変更する。表示画像生成モジュールＭ２３は、表示レイアウト制御モジュールＭ２２によるレイアウト表示の設定に従って、各画像供給装置１００ａ〜１００ｄから供給された供給画像をレイアウトした投写用の画像データ（表示用画像データ）を生成する。表示画像出力モジュールＭ２４は、表示用画像データに基づいて描画データを生成し、ＶＲＡＭ２４０に格納する。
【００３３】
更新情報生成モジュールＭ２５は、各画像供給装置１００ａ〜１００ｄにおいて操作ウィンドウの表示内容を更新するための更新情報を生成する。通信制御モジュールＭ２６は、無線ＬＡＮ／ＩＦ２８０を制御して、各画像供給装置１００ａ〜１００ｄとの間の通信を制御する。具体的には、通信制御モジュールＭ２６は、機種情報の送信などの通信経路確立のための処理や、供給画像の受信、更新情報の配信などを実行する。
【００３４】
図４は、各画像供給装置１００ａ〜１００ｄと画像表示装置２００との間における接続の確立のためのやりとりを説明するためのシーケンス図である。この図では、各画像供給装置１００ａ〜１００ｄの処理手順を、各画像供給装置１００ａ〜１００ｄごとに区別することなく、紙面に向かって右側に一系列で図示してある。まず、第１の画像供給装置１００ａが最初に画像表示装置２００と接続する場合のやりとりを説明する。なお、図には、紙面に向かって左側に投写スクリーンＳＣの表示画像の遷移を時系列で示し、紙面に向かって右側に第１の画像供給装置１００ａの表示画面の遷移を時系列で示してある。
【００３５】
画像表示装置２００は、いずれの画像供給装置１００ａ〜１００ｄとも接続されていない状態においては、投写スクリーンＳＣに、画像供給プログラムＰ１を起動して画像の供給開始を促す旨のメッセージを表示している。ここで、例えば、会議の参加者が、第１の画像供給装置１００ａにおいて、画像供給プログラムＰ１を起動すると、第１の画像供給装置１００ａの通信制御モジュールＭ３が、接続可能な画像表示装置２００を検索し、その機種情報を要求する（ステップ［１］）。通信制御モジュールＭ３は、画像表示装置２００からの応答が得られるまで、表示部１６０に接続可能な画像表示装置を検索中である旨のメッセージを表示する。
【００３６】
第１の画像供給装置１００ａからの要求を受信すると、画像表示装置２００の通信制御モジュールＭ２６は、それに応答するとともに、第１の画像供給装置１００ａからの要求に応じて機種情報を送信する（ステップ［２］）。なお、このとき、画像表示装置２００は、第１の画像供給装置１００ａとの接続を確立中である旨のメッセージを投写スクリーンＳＣに表示する。
【００３７】
第１の画像供給装置１００ａの通信制御モジュールＭ３は、機種情報を取得すると、機種情報に含まれる画像表示装置２００の画像再生特性に関する情報を供給画像生成モジュールＭ２に送信する。供給画像生成モジュールＭ２は、送信された情報に基づいた規格で供給画像を生成するための準備を開始する。また、通信制御モジュールＭ３は、供給画像の送信のための設定・準備をする（ステップ［３］）。さらに、このとき、ユーザーインターフェースモジュールＭ４が、表示部１６０に操作ウィンドウを表示する。
【００３８】
図５は、操作ウィンドウを説明するための説明図である。図５（Ａ）は、操作ウィンドウ３００が表示された第１の画像供給装置１００ａにおける表示部１６０の表示画面の一例を示す模式図である。この例では、デスクトップ画面１０１ａが表示されており、デスクトップ画面１０１ａ上に、操作ウィンドウ３００の他に、壁紙やデスクトップアイコン、タスクバーなどが表示されている。なお、第１の画像供給装置１００ａに、プレゼンテーションプログラムなどのアプリケーションの画面が表示されている場合にも、操作ウィンドウ３００の起動時には、そのアプリケーションの画面の上に操作ウィンドウ３００が表示される。
【００３９】
図５（Ｂ）は、操作ウィンドウ３００のみを拡大して示す模式図である。操作ウィンドウ３００は、スクリーン画像３１０と、表示モード切替ボタン３２０とを有している。スクリーン画像３１０は、投写スクリーンＳＣの表示画像が縮小された画像である。スクリーン画像３１０には、画像表示装置２００と、それに接続する各画像供給装置１００ａ〜１００ｄとの間の通信により、投写スクリーンＳＣの表示内容がリアルタイムに反映される。なお、この時点では、投写スクリーンＳＣには、外部からの供給画像は表示されていないため、図では、スクリーン画像３１０にハッチングを付すことにより、投写スクリーンＳＣが非表示状態であることを示している。
【００４０】
表示モード切替ボタン３２０は、ユーザーが操作部１５０を介して操作可能な部品であり、投写スクリーンＳＣにおける供給画像の表示レイアウトのモードを切り替えるためのボタンである。表示モード切替ボタン３２０は、表示レイアウトのモードに対応する３つのボタン３２１，３２２，３２３を有する。表示モード切替ボタン３２０および表示レイアウトのモードについての詳細は後述する。
【００４１】
操作ウィンドウ３００には、さらに、画像表示装置２００に接続している画像供給装置およびユーザーを識別するためのＩＤ画像を一覧表示するためのＩＤ画像表示領域３３０（破線で図示）が設けられている。ＩＤ画像は、各画像供給装置１００ａ〜１００ｄにおいて、ユーザーインターフェースモジュールＭ４が生成する画像である。ＩＤ画像は、供給画像のサムネール画像である供給画像サムネールと、その供給画像を提供するユーザーを識別するためのユーザー識別用画像とを含む。
【００４２】
供給画像サムネールは、各画像供給装置１００ａ〜１００ｄにおいて、画像表示装置２００への供給画像を縮小して生成される画像である。なお、供給画像サムネールは、定期的に画像表示装置２００へと送信され、画像表示装置２００は、受信した各供給画像サムネールを、接続する全ての画像供給装置に操作ウィンドウ３００の更新情報として配信する。これによって、操作ウィンドウ３００の供給画像サムネールは、供給画像の表示内容と同期する。ユーザー識別用画像は、予めユーザーが登録しておいたユーザーアイコンやユーザー名などのユーザー情報に基づいて、各画像供給装置１００ａ〜１００ｄにおいて生成される画像である。なお、図では、ＩＤ画像表示領域３３０に、第１の画像供給装置１００ａのＩＤ画像３３１ａとして、供給画像サムネール３３２ａと、第１の画像供給装置１００ａにログインしている参加者（「ユーザーａ」とする）を示すユーザー識別用画像３３３ａとが表示されている。
【００４３】
操作ウィンドウ３００が表示された後、第１の画像表示装置１００ａの通信制御モジュールＭ３は、接続設定用データを画像表示装置２００に送信する（図４のステップ［４］）。ここで、「接続設定用データ」には、通信経路を確立するための情報や、画像表示装置２００が第１の画像表示装置１００ａを識別するための情報および上記のＩＤ画像などが含まれる。接続用情報を取得した画像表示装置２００の通信制御モジュールＭ２６は、ＲＡＭ２３０上に、第１の画像供給装置１００ａのための記憶領域を確保する（ステップ［５］）。
【００４４】
次に、画像表示装置２００の表示レイアウト制御モジュールＭ２２は、新たに接続された第１の画像供給装置１００ａからの供給画像を表示するための画像表示領域（レイアウト枠）の空きがあるか否かを判定する（ステップ［６］）。ここで、画像表示装置２００には、第１の画像供給装置１００ａのみが接続しているため、表示レイアウト制御モジュールＭ２２は、投写スクリーンＳＣ全面を第１の画像供給装置１００ａのためのレイアウト枠として設定する。
【００４５】
その後、画像表示装置２００の通信制御モジュールＭ２６は、投写用の画像データを取得中である旨のメッセージを含む待ち受け画像を投写スクリーンＳＣに表示する（ステップ［７］）。そして、第１の画像供給装置１００ａに供給画像の送信開始要求を送信する（ステップ［８］）。
【００４６】
図６は、ステップ［７］〜［８］において投写スクリーンＳＣに表示される待ち受け画像を示す模式図である。この待ち受け画像４００には、上記のメッセージとともに、供給画像の送信を要求している装置のＩＤ画像を表示する。図では、第１の画像供給装置１００ａのＩＤ画像３３１ａが表示されている。
【００４７】
ステップ［９］（図４）では、第１の画像供給装置１００ａの供給画像生成モジュールＭ２が供給画像を生成し、ステップ［１０］では、通信制御モジュールＭ３が、供給画像の送信を開始する。ステップ［１１］では、画像表示装置２００において供給画像の投写表示処理が開始される。
【００４８】
投写スクリーンＳＣに供給画像が表示されると、画像表示装置２００の更新情報生成モジュールＭ２５は、表示画像生成モジュールＭ２３の生成する表示用画像データに基づいてスクリーン画像３１０の画像データを生成する。そして、そのスクリーン画像３１０の画像データを第１の画像供給装置１００ａへの更新情報として送信する（ステップ［１２］）。
【００４９】
第１の画像供給装置１００ａのユーザーインターフェースモジュールＭ４は、受信した更新情報を用いて、操作ウィンドウ３００（図５（Ｂ））のスクリーン画像３１０を更新する（ステップ［１３］）。これによって、投写スクリーンＳＣの表示画像と操作ウィンドウ３００のスクリーン画像３１０とが同期される。
【００５０】
図７（Ａ）は、画像表示装置２００が、第１の画像供給装置１００ａからの供給画像５０１ａを投写スクリーンＳＣに投写している状態を示す模式図である。投写スクリーンＳＣには、供給画像５０１ａが一面にレイアウトされて表示されている。このように、１枚の供給画像が投写スクリーンＳＣ全体にレイアウトされる表示レイアウトのモードを、本明細書では、「一画面表示モード」と呼ぶ。なお、本実施例の画像表示装置２００では、この一画面表示モードがデフォルトで設定されている。
【００５１】
ここで、第１の画像供給装置１００ａの表示部１６０には、操作ウィンドウ３００が表示されているが、投写スクリーンＳＣに表示された供給画像５０１ａには、操作ウィンドウ３００は表示されていない。これは、第１の画像供給装置１００ａにおいて、供給画像５０１ａを、操作ウィンドウ３００が含まれない形で生成するためである。具体的には、画像キャプチャモジュールＭ１が、表示部１６０上の表示画像をキャプチャする際に、操作ウィンドウ３００をレイヤードウィンドウ化する。そして、操作ウィンドウ３００を透過させて、操作ウィンドウ３００以外の表示画像をキャプチャする。このキャプチャ画像を用いて供給画像生成モジュールＭ２が供給画像５０１ａを生成する。
【００５２】
このように、本実施例の画像表示システム１０００では、投写スクリーンＳＣ上に、操作ウィンドウ３００が表示されない。これによって、投写スクリーンＳＣ上において、ユーザーの準備した資料画像が、操作ウィンドウ３００によって隠されてしまうことを回避でき、画像表示システム１０００の利便性が向上する。
【００５３】
図７（Ｂ）は、第１の画像供給装置１００ａに表示されている操作ウィンドウ３００を拡大して示す模式図である。図７（Ｂ）は、操作ウィンドウ３００のスクリーン画像３１０の内容が変更されている点以外は、図５（Ｂ）とほぼ同じである。スクリーン画像３１０は、画像表示装置２００から配信される更新情報により、投写スクリーンＳＣの表示画像に同期されている。
【００５４】
図８（Ａ）は、第１の画像供給装置１００ａに加えて、第２の画像表示装置１００ｂが画像表示装置２００に接続された後の状態を説明するための模式図である。図８（Ａ）は、第２の画像供給装置１００ｂが追加されている点以外は、図７（Ａ）とほぼ同じである。この例では、第２の画像表示装置１００ｂには、操作ウィンドウ３００とともに、デスクトップ画面１０１ｂが表示されている。なお、第２の画像供給装置１００ｂを操作する参加者を「ユーザーｂ」と呼ぶ。
【００５５】
第２の画像供給装置１００ｂは、図４で説明した手順で画像表示装置２００に接続されるが、既に投写スクリーンＳＣには、第１の画像供給装置１００ａからの供給画像５０１ａが一面にレイアウトされて表示されている。従って、第２の画像供給装置１００ｂの供給画像を表示するためのレイアウト枠が無いため、ステップ［６］以降において、画像表示装置２００は、ステップ［７］〜［１１］の画像表示処理を実行せず、ステップ［１２］の更新情報の配信処理を実行する。そして、第１と第２の画像供給装置１００ａ，１００ｂのそれぞれにおいて、配信された更新情報を用いて、操作ウィンドウ３００が更新される（ステップ［１３］）。なお、この更新情報には、操作ウィンドウ３００のスクリーン画像３１０を更新するための画像データと、画像表示装置２００に接続されている全ての画像供給装置のＩＤ画像とが含まれる。
【００５６】
図８（Ｂ）は、第１と第２の画像供給装置１００ａ，１００ｂに表示されている更新された後の操作ウィンドウ３００を示す模式図である。図８（Ｂ）は、第２の画像供給装置１００ｂのＩＤ画像３３１ｂが追加されている点以外は、図７（Ｂ）とほぼ同じである。第２の画像供給装置１００ｂが画像表示装置２００との間の接続を確立すると、操作ウィンドウ３００に、第２の画像供給装置１００ｂのＩＤ画像３３１ｂが追加表示される。これによって、第１の画像供給装置１００ａのユーザーａは、新たに他の参加者であるユーザーｂが第２の画像供給装置１００ｂを介して、画像表示装置２００にログインしたことを知ることができる。
【００５７】
図９（Ａ）は、さらに、第３と第４の画像供給装置１００ｃ，１００ｄのそれぞれが、画像表示装置２００と接続した後の状態を説明するための模式図である。図９（Ａ）は、第３と第４の画像供給装置１００ｃ，１００ｄが追加されている点以外は、図８（Ａ）とほぼ同じである。この例では、第３と第４の画像表示装置１００ｃ，１００ｄにはそれぞれ、操作ウィンドウ３００とともに、デスクトップ画面１０１ｃ，１０１ｄが表示されている。なお、以後、第３と第４の画像供給装置１００ｃ，１００ｄを操作する参加者をそれぞれ、「ユーザーｃ」および「ユーザーｄ」と呼ぶ。なお、投写スクリーンＳＣは、一画面表示モードの設定のままであるため、投写スクリーンＳＣには、供給画像５０１ａのみが表示されたままである。
【００５８】
図９（Ｂ）は、第３と第４の画像供給装置１００ｃ，１００ｄのそれぞれが、画像表示装置２００との間の接続を確立した後の各画像供給装置１００ａ〜１００ｄに表示される操作ウィンドウ３００を示す模式図である。図９（Ｂ）は、第３と第４の画像供給装置１００ｃ、１００ｄのＩＤ画像３３１ｃ，３３１ｄが追加されている点以外は、図８（Ｂ）とほぼ同じである。このように、本実施例の画像表示システム１０００では、各画像供給装置１００ａ〜１００ｄが画像表示装置２００に接続した順で、各ＩＤ画像３３１ａ〜３３１ｄが、ＩＤ画像表示領域３３０に追加表示されていく。なお、本実施例の画像表示システム１０００では、この接続順で、各画像供給装置１００ａ〜１００ｄに優先度が付与されるものとする。
【００５９】
ここで、上述したように、本実施例の画像表示システム１０００では、各画像供給装置１００ａ〜１００ｄにおいて、操作ウィンドウ３００を操作することにより、投写スクリーンＳＣにおける供給画像の表示レイアウトを変更することが可能である。この操作ウィンドウ３００を介した表示レイアウトの変更操作によって、画像表示装置２００に接続する各画像供給装置１００ａ〜１００ｄが供給する各供給画像を投写スクリーンＳＣに同時に表示することが可能となる。
【００６０】
図１０は、操作ウィンドウ３００を介して、投写スクリーンＳＣの表示レイアウトの変更操作を受け付けたときの、各画像供給装置１００ａ〜１００ｄと、画像表示装置２００との間のやりとりを説明するためのシーケンス図である。なお、図１０では、各画像供給装置１００ａ〜１００ｄにおける処理手順を、各画像供給装置１００ａ〜１００ｄごとに区別することなく、紙面に向かって右側に一系列で図示してある。
【００６１】
各画像供給装置１００ａ〜１００ｄのユーザーインターフェースモジュールＭ４は、操作ウィンドウ３００を介したユーザーの操作を受け付けると（ステップ［２０］）、そのユーザーの操作内容を画像表示装置２００へと送信する（ステップ［２１］）。その操作内容を受信した画像表示装置２００の表示レイアウト制御モジュールＭ２２は、その操作内容に従って、投写スクリーンＳＣの表示レイアウトの設定を変更する（ステップ［２２］）。なお、このとき、表示レイアウト制御モジュールＭ２２は、必要に応じて供給画像の送信要求をするものとしても良い。そして、表示画像生成モジュールＭ２３は、新たな表示レイアウトの設定に従って、各画像供給装置１００ａ〜１００ｄからの供給画像を用いて表示画像データを生成する。
【００６２】
投写スクリーンＳＣに表示レイアウトの変更が反映された後に、更新情報生成モジュールＭ２５は、投写スクリーンＳＣの表示画像データに基づいて、スクリーン画像３１０の画像データを生成する。そして、スクリーン画像３１０の画像データを、各画像供給装置１００ａ〜１００ｄに、更新情報として配信する（ステップ［２３］）。各画像供給装置１００ａ〜１００ｄでは、その更新情報を用いて、操作ウィンドウ３００のスクリーン画像３１０を更新し、スクリーン画像３１０の内容を、投写スクリーンＳＣの表示内容に同期させる（ステップ［２４］）。
【００６３】
このように、本実施例の画像表示システム１０００によれば、画像表示装置２００に接続していれば、各画像供給装置１００ａ〜１００ｄのいずれからでも、投写スクリーンＳＣの表示レイアウトを変更することができる。これにより、画像表示システム１０００の利便性が向上している。
【００６４】
以下に、操作ウィンドウ３００を介した表示レイアウトの変更操作について具体的に説明する。なお、上述したように、本実施例の画像表示システム１０００では、操作ウィンドウ３００のスクリーン画像３１０の表示内容と、投写スクリーンＳＣの表示内容とは同期されている。従って、以下の説明では、スクリーン画像３１０の表示内容が変更された場合には、投写スクリーンＳＣの表示内容も同様に変更されているものとして説明する。
【００６５】
図１１（Ａ）〜（Ｃ）は、操作ウィンドウ３００の表示モード切替ボタン３２０による投写スクリーンＳＣにおける表示レイアウトモードの切替を説明するための説明図である。ここで、説明の便宜上、ユーザーａの操作する第１の画像表示装置１００ａのみが、画像表示装置２００に接続している状態を想定する。なお、図１１（Ｂ），（Ｃ）には、ユーザーが、操作部１５０を介して、デスクトップ画面上を任意に移動させることができるポインター３４１が図示されている。
【００６６】
図１１（Ａ）は、第１の画像供給装置１００ａが画像表示装置２００に接続して、供給画像５０１ａが投写スクリーンＳＣに一画面表示モードで表示されているときの操作ウィンドウ３００を示しており、図７（Ａ）とほぼ同じである。このとき、表示モード切替ボタン３２０は、第１のボタン３２１が押下された状態である。このように、第１のボタン３２１が押下されているときは、投写スクリーンＳＣは、一画面表示モードに設定されている。
【００６７】
図１１（Ｂ）は、ユーザーａがポインター３４１によって、表示モード切替ボタン３２０の第２のボタン３２２を押下したときの操作ウィンドウ３００を示す模式図である。第２のボタン３２２が押下されると、投写スクリーンＳＣは、左右に二分割され、供給画像５０１ａが、紙面に向かって左側のレイアウト枠内に表示される。以後、このように、２つに分割されたレイアウト枠を有する表示レイアウトのモードを「二画面表示モード」と呼ぶ。
【００６８】
図１１（Ｃ）は、ユーザーａがポインター３４１によって、表示モード切替ボタン３２０の第３のボタン３２３を押下したときの操作ウィンドウ３００を示す模式図である。第３のボタン３２３が押下されると、投写スクリーンＳＣは、縦横に四分割され、供給画像５０１ａが、紙面に向かって左上のレイアウト枠内に表示される。以後、投写スクリーンＳＣが縦横に四分割されたレイアウト枠を有する表示レイアウトのモードを「四画面表示モード」と呼ぶ。このように、表示モード切替ボタン３２０の第１ないし第３のボタン３２１〜３２３をそれぞれ押下することにより、投写スクリーンＳＣの表示レイアウトを、一画面表示モード、二画面表示モード、四画面表示モードに切り替えることができる。
【００６９】
図１２（Ａ１），（Ａ２）は、図１１（Ｂ）で説明した二画面表示モードのときに、ユーザーｂの操作する第２の画像表示装置１００ｂが、画像表示装置２００に接続したときの表示レイアウトの変化を説明するための模式図である。なお、図１２（Ａ１）は、図１１（Ｂ）とほぼ同じである。
【００７０】
二画面表示モードのときに第２の画像供給装置１００ｂが画像表示装置２００に接続すると、図８で説明したときと異なり、投写スクリーンＳＣには、画像が未表示のレイアウト枠が存在する。そのため、図４のステップ［６］以降の処理手順に従って、投写スクリーンＳＣには、第１と第２の画像供給装置１００ａ，１００ｂのそれぞれの供給画像５０１ａ，５０１ｂが左右にレイアウトされて表示される（図１２（Ａ２））。また、操作ウィンドウ３００のＩＤ画像表示領域３３０には、第２の画像供給装置１００ｂのＩＤ画像３３１ｂが追加表示される。
【００７１】
図１２（Ｂ１），（Ｂ２）は、図１１（Ｃ）の四画面表示モードのときに、第２ないし第４の画像表示装置１００ｂ〜１００ｄが、画像表示装置２００に順に接続したときの表示レイアウトの変化を説明するための模式図である。なお、図１２（Ｂ１）は、図１１（Ｃ）とほぼ同じである。この場合には、図４のステップ［６］以降の処理手順に従って、投写スクリーンＳＣの空いているレイアウト枠内に、第２ないし第４の画像供給装置１００ｂ〜１００ｄの供給画像５０１ｂ〜５０１ｄが、図１２（Ｂ２）の矢印で示す順にレイアウトされる。
【００７２】
図１３〜図１７は、表示モード切替ボタン３２０による投写スクリーンＳＣの表示内容の変更操作を説明するための模式図である。図１３（Ａ）は、第１と第２の画像供給装置１００ａ，１００ｂが画像表示装置２００に接続し、それぞれの供給画像５０１ａ，５０１ｂが二画面表示モードによって投写スクリーンＳＣに表示されているときの操作ウィンドウ３００を模式的に示している。
【００７３】
この状態のときに、操作ウィンドウ３００の第１のボタン３２１をポインター３４１によって押下すると、投写スクリーンＳＣは、一画面表示モードに切り替わる（図１３（Ｂ））。そして、投写スクリーンＳＣには、先に画像表示装置２００に接続していた、優先度の高い第１の画像供給装置１００ａの供給画像５０１ａが表示される。そして、さらに、第１のボタン３２１をポインター３４１によってクリックすると、投写スクリーンＳＣには、一画面表示モードのまま、第２の画像供給装置１００ｂの供給画像５０１ｂが表示される（図１３（Ｃ））。なお、この後、第１のボタン３２１が、ポインター３４１によってクリックされるごとに、供給画像５０１ａ，５０１ｂが交互に交代で表示されるものとしても良い。
【００７４】
図１４（Ａ）は、全ての画像供給装置１００ａ〜１００ｄが画像表示装置２００に接続し、それぞれの供給画像５０１ａ〜５０１ｄが四画面表示モードによって投写スクリーンＳＣに表示されているときの操作ウィンドウ３００を模式的に示している。この状態のときに、操作ウィンドウ３００の第１のボタン３２１をポインター３４１によって押下すると、投写スクリーンＳＣは、一画面表示モードに切り替わる（図１４（Ｂ））。そして、投写スクリーンＳＣには、先に画像表示装置２００に接続していた第１の画像供給装置１００ａの供給画像５０１ａが表示される。その後、さらに、第１のボタン３２１をポインター３４１によってクリックするごとに、優先度の高い順で、供給画像５０１ｂ〜５０１ｄが投写スクリーンＳＣに表示されていく（図１４（Ｃ）〜図１４（Ｅ））。なお、図１４（Ｅ）の表示状態のときに、第１のボタン３２１をさらにクリックしたときには、図１４（Ｂ）の表示状態に戻るものとしても良い。
【００７５】
図１５（Ａ１）は、全ての画像供給装置１００ａ〜１００ｄが画像表示装置２００に接続し、二画面表示モードの一方のレイアウト枠内に供給画像５０１ｂが表示され、他方のレイアウト枠が非表示状態であるときの操作ウィンドウ３００を模式的に示している。なお、このような表示状態とするための操作方法については後述する。このときに、ポインター３４１によって、第１のボタン３２１が押下され、一画面表示モードに切り替えられると、既に表示されていた供給画像５０１ｂが、一面に再レイアウトされて表示される（図１５（Ａ２））。
【００７６】
図１５（Ｂ１）は、全ての画像供給装置１００ａ〜１００ｄが画像表示装置２００に接続した状態において、一画面表示モードの投写スクリーンＳＣが非表示状態であるときの操作ウィンドウ３００を模式的に示している。なお、このような表示状態とするための操作方法については後述する。このときに、ポインター３４１によって、第１のボタン３２１が押下され、一画面表示モードに切り替えられると、優先度の最も高い第１の画像供給装置１００ａの供給画像５０１ａが表示される（図１５（Ｂ２））。
【００７７】
図１６（Ａ１）は、全ての画像供給装置１００ａ〜１００ｄが画像表示装置２００に接続し、四画面表示モードの投写スクリーンＳＣに、全ての供給画像５０１ａ〜５０１ｄが同時に表示されているときの操作ウィンドウ３００を模式的に示している。このときに、第２のボタン３２２を、ポインター３４１によって押下すると、投写スクリーンＳＣは、二画面表示モードに切り替わり、供給画像５０１ａ，５０１ｂが横並びで同時にレイアウトされて表示される（図１６（Ａ２））。なお、この後、第２のボタン３２２がクリックされるごとに、優先度の高い順に従って、各供給画像５０１ａ〜５０１ｄを、１枚づつシフトさせながら、２枚１組で表示していくものとしても良い。
【００７８】
図１６（Ｂ１）は、第１の画像供給装置１００ａの供給画像５０１ａのみが非表示状態である点以外は、図１６（Ａ１）とほぼ同じである。なお、本実施例の画像表示システム１０００では、画像表示装置２００に接続したまま、画像供給装置をスリープ状態にすると、投写スクリーンＳＣにおいて、当該画像供給装置の供給画像が非表示となる。また、ユーザーの指示に従って、要求画像を任意に非表示にできるものとしても良い。
【００７９】
この状態において、第２のボタン３２２をポインター３４１によって押下すると、投写スクリーンＳＣは、二画面表示モードに切り替わる（図１６（Ｂ２））。そして、非表示状態にない画像供給装置１００ｂ〜１００ｄのうち、優先度の高い第２と第３の画像供給装置１００ｂ、１００ｃの供給画像５０１ｂ、５０１ｃが表示される。なお、この後、第２のボタン３２２がクリックされるごとに、優先度の高い順に従って、供給画像５０１ｂ，５０１ｃ，５０１ｄが、１枚づつシフトして表示されるものとしても良い。
【００８０】
図１７（Ａ１）は、全ての画像供給装置１００ａ〜１００ｄが画像表示装置２００に接続した状態において、投写スクリーンＳＣに、一画面表示モードで供給画像５０１ａが表示されているときの操作ウィンドウ３００を模式的に示している。このときに、第３のボタン３２３を、ポインター３４１によって押下すると、投写スクリーンＳＣは、四画面表示モードに切り替わり、全ての供給画像５０１ａ〜５０１ｄが同時にレイアウトされて表示される（図１７（Ａ２））。なお、供給画像５０１ａ〜５０１ｄは優先度に従った順でレイアウトされている。
【００８１】
図１７（Ｂ１）は、第１と第２の画像供給装置１００ａ，１００ｂが画像表示装置２００に接続し、二画面表示モードで、投写スクリーンＳＣに、２つの供給画像５０１ａ，５０１ｂが同時に表示されているときの操作ウィンドウ３００を模式的に示している。このときに、第３のボタン３２３を、ポインター３４１によって押下すると、投写スクリーンＳＣは、四画面表示モードに切り替わる。そして、２つの供給画像５０１ａ，５０１ｂはそれぞれ、上側の横並びの２つのレイアウト枠内にレイアウトされて表示される（図１７（Ｂ２））。このとき、投写スクリーンＳＣの下側のレイアウト枠は、空き表示領域となる。そのため、この表示状態のときに、新たに画像表示装置２００に接続された画像供給装置からの供給画像は、これらのレイアウト枠内に表示される（図４のステップ［６］以降の処理）。
【００８２】
本実施例の画像表示システム１０００の操作ウィンドウ３００では、上記の表示モード切替ボタン３２０による操作以外に、さらに、以下に説明する操作によって、投写スクリーンＳＣの表示内容を変更することが可能である。
【００８３】
図１８〜図２４は、スライダー３４２による投写スクリーンＳＣの表示内容の変更操作を説明するための模式図である。図１８（Ａ１），（Ｂ１）はそれぞれ、第１の画像供給装置１００ａが画像表示装置２００に接続して、供給画像５０１ａが投写スクリーンＳＣに一画面表示モードで表示されているときの操作ウィンドウ３００を示している。図１８（Ａ１），（Ｂ１）はそれぞれ、ポインター３４１に換えてスライダー３４２が図示されている点以外は、図１０（Ａ）とほぼ同じである。
【００８４】
ここで、本実施例の各画像供給装置１００ａ〜１００ｄでは、操作ウィンドウ３００において、ポインター３４１をスクリーン画像３１０におけるレイアウト枠の境界上（枠線上）に移動させると、ポインター３４１がスライダー３４２に切り替わる。図１８（Ａ１）は、スライダー３４２がスクリーン画像３１０の右側の外周端において表示された状態であり、図１８（Ｂ１）は、スライダー３４２がスクリーン画像３１０の左側の外周端において表示された状態である。
【００８５】
このように、一画面表示モードにおいて、スクリーン画像３１０の右側の外周端または左側の外周端にスライダー３４２を表示させ、そのままスライダー３４２を、スクリーン画像３１０の中央へ向かってドラッグする。すると、投写スクリーンＳＣは、二画面表示モードに切り替わり、それまで表示されていた供給画像５０１ａは、スライダー３４２がドラッグされた方向側のレイアウト枠内に表示される（図１８（Ａ２），（Ｂ２））。また、表示モード切替ボタン３２０は、第１のボタン３２１に換えて、第２のボタン３２２が押下された状態の表示に変わる。
【００８６】
このように、本実施例の画像表示システムでは、スライダー３４２をドラッグすることによって、表示レイアウトのモードを切り替えることが可能である。なお、スライダー３４２によって表示レイアウトのモードが切り替えたときには、それに応じて、表示モード切替ボタン３２０の状態も切り替わる。
【００８７】
ここで、画像表示装置２００には、第１の画像供給装置１００ａのみが接続しているため、他方のレイアウト枠は非表示状態となる。なお、画像表示装置２００に、２以上の画像供給装置が接続しているときには、２つのレイアウト枠内に、それらの供給画像が優先度に従って表示されるものとしても良い。
【００８８】
図１９（Ａ１），（Ｂ１）はそれぞれ、図１８（Ａ２），（Ｂ２）とほぼ同じである。このとき、スライダー３４２をスクリーン画像３１０の中央のレイアウト枠の境界上に表示させておき、そのままスライダー３４２を供給画像５０１ａが表示されているレイアウト枠の側へとドラッグする。すると、供給画像５０１ａが消去され、投写スクリーンＳＣは、一画面表示モードで非表示の状態となる（図１９（Ａ２），（Ｂ２））。
【００８９】
図２０（Ａ１），（Ｂ１）はそれぞれ、２つの画像供給装置１００ａ，１００ｂが画像表示装置２００に接続し、それぞれの供給画像５０１ａ，５０１ｂが、二画面表示モードで投写スクリーンＳＣに表示されているときの操作ウィンドウ３００を示している。この表示状態のときに、スクリーン画像３１０の中央のレイアウト枠上にスライダー３４２を表示させ、スライダー３４２を左側（図２０（Ａ１）の破線矢印の方向）または右側（図２０（Ｂ１）の破線矢印の方向）に向かってドラッグする。スライダー３４２を左側にドラッグしたときには、投写スクリーンＳＣは、一画面表示モードに切り替わり、右側のレイアウト枠内に表示されていた供給画像５０１ｂが一面に表示される（図２０（Ａ２））。一方、スライダー３４２を右側にドラッグしたときには、投写スクリーンＳＣは、一画面表示モードに切り替わるとともに、左側のレイアウト枠内に表示されていた供給画像５０１ａが一面に表示される（図２０（Ｂ２））。
【００９０】
図２１（Ａ１），（Ｂ１）はそれぞれ、スライダー３４２の表示位置が異なる点以外は、図２０（Ａ１），（Ｂ１）とほぼ同じである。図２１（Ａ１）では、スライダー３４２は、スクリーン画像３１０の上側の外周端に位置しており、図２１（Ｂ１）では、スライダー３４２は、スクリーン画像３１０の下側の外周端に位置している。この表示状態において、スライダー３４２をスクリーン画像３１０の縦方向の中央に向かってドラッグすると、投写スクリーンＳＣは、二画面表示モードから四画面表示モードへと切り替わる。より具体的には、スライダー３４２をスクリーン画像３１０の下側から上側へとドラッグしたときには（図２１（Ａ１））、四画面表示モードに切り替わる。そして、もともと表示されていた２枚の供給画像５０１ａ，５０１ｂがそれぞれ、下側の２つのレイアウト枠に表示される（図２１（Ａ２））。一方、スライダー３４２をスクリーン画像３１０の上側から下側へとドラッグしたときには（図２１（Ｂ１））、四画面表示モードに切り替わり、２枚の供給画像５０１ａ，５０１ｂはそれぞれ、上側の２つのレイアウト枠に表示される（図２１（Ｂ２））。なお、画像表示装置２００に３つ以上の画像供給装置が接続している場合には、残りのレイアウト枠に、未表示状態であった供給画像が新たに追加表示されるものとしても良い。
【００９１】
図２２（Ａ１），（Ｂ１）はそれぞれ、全ての画像供給装置１００ａ〜１００ｄが画像表示装置２００に接続し、四画面表示モードにおいて、それぞれの供給画像５０１ａ〜５０１ｄが表示されているときの操作ウィンドウ３００を示している。この表示状態において、図２２（Ａ１）では、スライダー３４２を、スクリーン画像３１０を上下に分割するレイアウト枠の境界上から、下側に向かってドラッグする。すると、投写スクリーンＳＣは二画面表示モードへと切り替わり、四画面表示モードにおいて上側のレイアウト枠内に表示されていた２枚の供給画像５０１ａ，５０１ｂが、そのまま継続して表示される（図２２（Ａ２））。一方、図２２（Ｂ１）では、スライダー３４２を、スクリーン画像３１０を上下に分割するレイアウト枠の境界上から、上側に向かってドラッグする。すると、投写スクリーンＳＣは二画面表示モードへと切り替わり、四画面表示モードにおいて下側のレイアウト枠内に表示されていた２枚の供給画像５０１ｃ，５０１ｄが、そのまま継続して表示される（図２２（Ｂ２））。
【００９２】
図２３（Ａ１），（Ｂ１）はそれぞれ、図２２（Ａ１），（Ｂ１）で説明した状態から、第１の画像供給装置１００ａまたは第４の画像供給装置１００ｄがログアウトしたときの状態を示している。即ち、図２３（Ａ１）では、第１の画像供給装置１００ａのＩＤ画像３３１ａが消去されており、図２３（Ｂ１）では、第４の画像供給装置１００ｄのＩＤ画像３３１ｄが消去されている。この状態において、図２２（Ａ１），（Ｂ１）で説明したのと同様なスライダー３４２の操作を実行すると、投写スクリーンＳＣは二画面表示モードへと切り替わり、スライダー３４２がドラッグされた方向側のレイアウト枠が削除される。そして、投写スクリーンＳＣの一方のレイアウト枠内には、供給画像５０１ｂまたは供給画像５０１ｃが表示され、他方のレイアウト枠内には画像が表示されない状態となる（図２３（Ａ２），（Ｂ２））。
【００９３】
図２４（Ａ１）は、全ての画像供給装置１００ａ〜１００ｄが画像表示装置２００に接続し、四画面表示モードにおいて、それぞれの供給画像５０１ａ〜５０１ｄが表示されているときの操作ウィンドウ３００を示している。このときに、スライダー３４２をスクリーン画像３１０の上側の外周端に表示させ、下側の外周端までドラッグする。すると、投写スクリーンＳＣは、一画面表示モードに切り替わり、全ての供給画像５０１ａ〜５０１ｄが非表示となる（図２４（Ａ２））。なお、四画面表示モードにおいて、スライダー３４２をスクリーン画像３１０の左側または右側の外周端から反対側の外周端までドラッグした場合も同様である（図２４（Ｂ１），（Ｂ２））。
【００９４】
図２５（Ａ１），（Ａ２），（Ｂ１），（Ｂ２）は、ポインター３４１を用いた画像選択による投写スクリーンＳＣの表示状態の変更操作を説明するための模式図である。図２５（Ａ１）は、全ての画像供給装置１００ａ〜１００ｄが画像表示装置２００に接続した状態で、二画面表示モードによって供給画像５０１ａ，５０１ｂが表示されているときの操作ウィンドウ３００を示している。なお、図２５（Ａ１）では、供給画像５０１ａを破線で囲み、ポインター３４１によって選択されていることを模式的に示している。
【００９５】
ここで、操作ウィンドウ３００のスクリーン画像３１０上で、ポインター３４１によって、供給画像５０１ａを指定してダブルクリックする。すると、投写スクリーンＳＣは一画面表示モードに切り替わり、選択された供給画像５０１ａが拡大表示される（図２５（Ａ２））。四画面分割モードにおいて、供給画像５０１ａを指定してダブルクリックした場合も、同様である（図２５（Ｂ１），（Ｂ２））。このように、本実施例の画像表示システム１０００では、投写スクリーンＳＣ上において、分割レイアウトされている複数の供給画像から、１枚を任意に選択して、一面に拡大表示させることが可能である。
【００９６】
図２６，図２７は、ポインター３４１を用いたＩＤ画像選択による投写スクリーンＳＣの表示状態の変更操作を説明するための模式図である。図２６（Ａ１）は、ポインター３４１によって選択されている画像が異なる点以外は、図２５（Ａ１）とほぼ同じである。図２６（Ａ１）では、ＩＤ画像表示領域３３０に表示されたＩＤ画像３３１ａ〜３３１ｄのうち、供給画像サムネール３３２ａを選択している。供給画像サムネール３３２ａをポインター３４１を用いてダブルクリックすると、投写スクリーンＳＣが一画面表示モードに切り替わり、第１の画像供給装置１００ａからの供給画像５０１ａが拡大表示される（図２６（Ａ２））。四画面分割モードにおいて、供給画像サムネール３３２ａをダブルクリックした場合も同様である（図２６（Ｂ１），（Ｂ２））。
【００９７】
図２７（Ａ１）は、一画面表示モードにおいて供給画像５０１ａが表示されている点と、ポインター３４１によって、供給画像サムネール３３２ｂが選択されている点以外は、図２６（Ａ１）と同じである。一画面表示モードで供給画像５０１ａのみが投写スクリーンＳＣに表示されているときに、供給画像サムネール３３２ｂをポインター３４１によってダブルクリックする。すると、投写スクリーンＳＣには、供給画像５０１ａに換えて、第２の画像供給装置１００ｂからの供給画像５０１ｂが表示される（図２７（Ａ２））。なお、投写スクリーンＳＣが非表示状態のときに、供給画像サムネール３３２ｂをポインター３４１によってダブルクリックした場合も同様である（図２７（Ｂ１），（Ｂ２））。
【００９８】
なお、供給画像サムネールに換えて、ユーザー識別用像をダブルクリックすることによって、投写スクリーンＳＣの表示状態を変更できるものとしても良い。このように、本実施例の画像表示システム１０００では、操作ウィンドウ３００に表示されているＩＤ画像から、画像供給装置を任意に選択して、その画像供給装置からの供給画像を投写スクリーンＳＣ上において一面に表示させることが可能である。
【００９９】
図２８〜図３０は、ポインター３４１を用いたＩＤ画像のドラッグアンドドロップによる投写スクリーンＳＣの表示状態の変更操作を説明するための模式図である。図２８（Ａ）は、図２７（Ａ１）とほぼ同じである。図２８（Ａ）の表示状態のときに、ポインター３４１によって、供給画像サムネール３３２ｂを、スクリーン画像３１０の上にドラッグアンドドロップする（図２８（Ｂ））。すると、投写スクリーンＳＣには、供給画像５０１ａに換えて、供給画像５０１ｂが表示される（図２８（Ｃ））。なお、本実施例の画像表示システム１０００では、供給画像サムネール３３２ｂをドロップする位置によっては、表示レイアウトモードの切替が実行されるが、詳細は後述する。
【０１００】
図２９（Ａ１）は、全ての画像供給装置１００ａ〜１００ｄが画像表示装置２００に接続しており、二画面表示モードにおける２つのレイアウト枠のいずれにも画像が表示されていない状態のときの操作ウィンドウ３００を示している。このときに、ポインター３４１によって、供給画像サムネール３３２ｂを、スクリーン画像３１０における左側のレイアウト枠内にドラッグアンドドロップする。すると、投写スクリーンＳＣの左側のレイアウト枠に、供給画像５０１ｂが表示される（図２９（Ａ２））。一方、ポインター３４１によって、供給画像サムネール３３２ｂを、右側のレイアウト枠内にドラッグアンドドロップしたときには（図２９（Ｂ１））、投写スクリーンＳＣの右側のレイアウト枠内に、供給画像５０１ｂが表示される（図２９（Ｂ２））。なお、供給画像サムネールのドロップ先であるレイアウト枠内に、既に他の画像供給装置からの供給画像が表示されている場合には、供給画像が入れ替えられるものとしても良い。
【０１０１】
図３０（Ａ１）は、全ての画像供給装置１００ａ〜１００ｄが画像表示装置２００に接続しており、四画面表示モードにおいて、右側下段のレイアウト枠内のみが非表示状態のときの操作ウィンドウ３００を示している。なお、投写スクリーンＳＣには、３枚の供給画像５０１ａ〜５０１ｃが表示されている。このとき、非表示状態にある供給画像５０１ｄに対応する供給画像サムネール３３２ｄを、ポインター３４１によって、非表示状態のレイアウト枠内へとドラッグアンドドロップする。すると、当該レイアウト枠内に、第４の画像供給装置１００ｄからの供給画像５０１ｄが表示される（図３０（Ａ２））。
【０１０２】
図３０（Ｂ１）は、全ての画像供給装置１００ａ〜１００ｄが画像表示装置２００に接続しており、四画面表示モードにおいて全ての供給画像５０１ａ〜５０１ｄが投写スクリーンＳＣに表示されているときの操作ウィンドウ３００を示している。このときに、例えば、供給画像サムネール３３２ｄを、ポインター３４１によって、第３の画像供給装置１００ｃからの供給画像５０１ｃが表示されているレイアウト枠内にドラッグアンドドロップする。すると、供給画像５０１ｃの表示位置と、供給画像５０１ｄの表示位置とが入れ替わる（図３０（Ｂ２））。
【０１０３】
このように、本実施例の画像表示システム１０００では、操作ウィンドウ３００において、ＩＤ画像をスクリーン画像３１０上のレイアウト枠内にドラッグアンドドロップすることによって、当該ＩＤ画像が示す画像供給装置からの供給画像を当該レイアウト枠内に表示させることができる。ここで、本実施例の画像表示システム１０００では、さらに、ポインター３４１によるＩＤ画像のドラッグアンドドロップによって、表示レイアウトのモードを切り替えることができる。以下にその具体的な方法を説明する。
【０１０４】
図３１〜図３２は、ポインター３４１を用いたＩＤ画像のドラッグアンドドロップによる投写スクリーンＳＣの表示モードの切替操作を説明するための模式図である。図３１（Ａ）は、全ての画像供給装置１００ａ〜１００ｄが画像表示装置２００に接続しており、一画面表示モードにおいて、供給画像５０１ａが投写スクリーンＳＣに表示されているときの操作ウィンドウ３００を示している。なお、図３１（Ａ）では、説明の便宜上、スクリーン画像３１０にハッチングを付すことにより、スクリーン画像３１０を左右方向に渡って３つの画像領域ＬＡ，ＣＡ，ＲＡに区分してある。
【０１０５】
図３１（Ａ）の表示状態のときに、図２８で説明したように、第２の画像供給装置１００ｂの供給画像５０１ｂに対応する供給画像サムネール３３２ｂを、ポインター３４１によって、スクリーン画像３１０上にドラッグアンドドロップする。このとき、供給画像サムネール３３２ｂを、スクリーン画像３１０の比較的中央の領域ＣＡ内にドロップしたときには、図２８で説明したのと同様に、一画面表示モードのまま、投写スクリーンＳＣに表示される供給画像が入れ替えられる（図３１（Ｂ１））。
【０１０６】
一方、供給画像サムネール３３２ｂを、スクリーン画像３１０の比較的左側の外周端に片寄った領域ＬＡにドロップしたときには、投写スクリーンＳＣは二画面表示モードに切り替わる。そして、第２の画像供給装置１００ｂからの供給画像５０１ｂが、左側のレイアウト枠内に表示され、もともと表示されていた第１の画像供給装置１００ａからの供給画像５０１ａが右側のレイアウト枠内に表示される（図３１（Ｂ２））。供給画像サムネール３３２ｂを、スクリーン画像３１０の比較的右側の外周端に片寄った領域ＲＡにドロップしたときにも、投写スクリーンＳＣは二画面表示モードに切り替わる。そして、第２の画像供給装置１００ｂからの供給画像５０１ｂが、右側のレイアウト枠内に表示され、もともと表示されていた第１の画像供給装置１００ａからの供給画像５０１ａが左側のレイアウト枠内に表示される（図３１（Ｂ３））。
【０１０７】
図３２（Ａ）は、全ての画像供給装置１００ａ〜１００ｄが画像表示装置２００に接続しており、二画面表示モードにおいて、供給画像５０１ａ，５０１ｂが投写スクリーンＳＣに表示されているときの操作ウィンドウ３００を示している。なお、図３２（Ａ）では、スクリーン画像３１０にハッチングを付すことにより、スクリーン画像３１０を上下方向に渡って、３つの画像領域ＵＡ，ＣＡ，ＢＡに区分してある。
【０１０８】
図３２（Ａ）の表示状態のときに、供給画像サムネール３３２ｃを、ポインター３４１によって、スクリーン画像３１０上にドラッグアンドドロップする。このとき、供給画像サムネール３３２ｃを、例えば、スクリーン画像３１０の比較的中央の領域ＣＡ内にドロップしたときには、二画面表示モードのまま、ドロップされたレイアウト枠内に供給画像サムネール３３２ｃに対応する供給画像５０１ｃが表示される（図３２（Ｂ１））。
【０１０９】
一方、供給画像サムネール３３２ｃを、スクリーン画像３１０の比較的上側の外周端に片寄った領域ＵＡにドロップしたときには、投写スクリーンＳＣは四画面表示モードに切り替わる。ここで、供給画像サムネール３３２ｃが左側のレイアウト枠内にドロップされていた場合には、供給画像５０１ｃは、左側上段のレイアウト枠内に表示される。供給画像サムネール３３２ｃが右側のレイアウト枠内にドロップされていた場合には、供給画像５０１ｃは右側上段のレイアウト枠内に表示される。もともと表示されていた第１と第２の画像供給装置１００ａ，１００ｂからの供給画像５０１ａ，５０１ｂは、下段の２つのレイアウト枠内にそれぞれ表示される（図３２（Ｂ２））。
【０１１０】
さらに、供給画像サムネール３３２ｃを、スクリーン画像３１０の比較的下側の外周端に片寄った領域ＤＡにドロップしたときにも、投写スクリーンＳＣは四画面表示モードに切り替わる。そして、供給画像サムネール３３２ｃが左側のレイアウト枠内にドロップされていた場合には、供給画像５０１ｃは、左側下段のレイアウト枠内に表示される。供給画像サムネール３３２ｃが右側のレイアウト枠内にドロップされていた場合には、供給画像５０１ｃは右側下段のレイアウト枠内に表示される。もともと表示されていた第１と第２の画像供給装置１００ａ，１００ｂからの供給画像５０１ａ，５０１ｂは、上段の２つのレイアウト枠内にそれぞれ表示される（図３２（Ｂ３））。
【０１１１】
このように、本実施例の画像表示システム１０００によれば、４つの画像供給装置１００ａ〜１００ｄからの供給画像５０１ａ〜５０１ｄを、共通の投写スクリーンＳＣに分割レイアウトして、同時に表示させることができる。そして、各画像供給装置１００ａ〜１００ｄの表示部１６０に表示されるが、投写スクリーンＳＣ上には表示されない操作ウィンドウ３００を介して、各ユーザーが、投写スクリーンＳＣ上における表示状態を任意に操作することができる。このように、会議やプレゼンテーションなどにおいて、各参加者が発表を効果的に行えるなど、新たな利便性が提供される。
【０１１２】
B．変形例：
なお、この発明は上記の実施例や実施形態に限られるものではなく、その要旨を逸脱しない範囲において種々の態様において実施することが可能であり、例えば次のような変形も可能である。
【０１１３】
B1．変形例１：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、画像供給プログラムＰ１の機能の一部をハードウェア化することもできる。
【０１１４】
B2．変形例２：
上記実施例においては、４つの画像供給装置１００ａ〜１００ｄが、画像表示装置２００に接続していた。しかし、画像表示装置２００には、さらに複数の画像供給装置が接続するものとしても良い。
【０１１５】
B3．変形例３：
上記実施例において、画像表示装置２００は、投写スクリーンＳＣを縦に二分割する二画面表示モードや、縦横に二分割する四画面表示モードなどの分割レイアウトの表示モードを有していた。しかし、画像表示装置２００は、さらに多くの分割レイアウトの表示モードを有するものとしても良い。例えば、投写スクリーンを縦または横に三分割する表示モードや、さらに複数のレイアウト枠に分割する表示モードを有しているものとしても良い。
【０１１６】
B4．変形例４：
上記実施例において、画像表示装置２００が有する分割レイアウトの表示モードは、各レイアウト枠が同じサイズで構成されていた。しかし、投写スクリーンＳＣの各レイアウト枠はそれぞれ、異なるサイズで構成されるものとしても良い。各ユーザーは、操作ウィンドウ３００を介して、これらのレイアウト枠のサイズを任意に変えることができるものとしても良い。
【０１１７】
B5．変形例５：
上記実施例においては、画像表示装置２００が、接続する各画像供給装置１００ａ〜１００ｄに、操作ウィンドウ３００の表示内容を同期させるための更新情報を配信するなど、画像表示システム１０００におけるサーバとして機能していた。しかし、操作ウィンドウ３００の更新情報は、画像表示装置２００が配信しなくとも良い。例えば、最初に画像表示装置２００に接続した画像供給装置が、各画像表示装置２００の操作ウィンドウ３００を同期するための更新情報を配信するものとしても良い。
【０１１８】
B6．変形例６：
上記実施例において、各画像供給装置１００ａ〜１００ｄには、画像表示装置２００に接続した順に、高い優先度が付与されていた。しかし、各画像供給装置１００ａ〜１００ｄの優先度は、他の順で付与されるものとしても良い。例えば、各画像供給装置１００ａ〜１００ｄの優先度は、予め設定されているものとしても良いし、ユーザーが任意に設定・変更できるものとしても良い。また、各画像供給装置１００ａ〜１００ｄには、そうした優先度が付与されなくとも良い。ただし、投写スクリーンＳＣにおける各供給画像のレイアウトの制御を行う上で、各画像供給装置１００ａ〜１００ｄには、優先度が付与されることが好ましい。
【０１１９】
B7．変形例７：
上記実施例において、各画像供給装置１００ａ〜１００ｄは、操作ウィンドウ３００を除く自身の表示画像を、各供給画像５０１ａ〜５０１ｄとして画像表示装置２００に供給していた。しかし、各画像供給装置１００ａ〜１００ｄは、アプリケーションソフトのウィンドウなど、表示画像の任意の領域のみを画像表示装置２００に供給するものとしても良い。各供給画像５０１ａ〜５０１ｄは、表示画像を用いて生成されれば良い。
【０１２０】
B8．変形例８：
上記実施例において、操作ウィンドウ３００には、ＩＤ画像表示領域３３０が設けられていたが、ＩＤ画像表示領域３３０は省略されるものとしても良い。しかし、ＩＤ画像表示領域３３０は、供給画像を一覧表示するための領域として機能しているため、参加者であるユーザーの利便性を向上するためにも、設けられることが好ましい。また、上記実施例において、操作ウィンドウ３００には、表示モード切替ボタン３２０が設けられていたが、表示モード切替ボタン３２０は省略されても良い。また、操作ウィンドウ３００には、表示モード切替ボタン３２０とは表示形態の異なる表示モードを切り替えるためのアイコンが表示されるものとしても良い。
【０１２１】
B9．変形例９：
上記実施例において、スクリーン画像３１０の表示内容は、投写スクリーンＳＣの表示内容に同期されていた。しかし、スクリーン画像３１０には、投写スクリーンＳＣの表示内容の全てが反映されていなくとも良く、スクリーン画像３１０には、投写スクリーンＳＣにおける供給画像の表示レイアウトのみが反映されているものとしても良い。即ち、スクリーン画像３１０には、投写スクリーンＳＣのレイアウト枠のみが表示されているものとしても良い。
【０１２２】
B10．変形例１０：
上記実施例において、新たに画像供給装置が接続された場合に、レイアウト枠に空きがない場合には、その画像供給装置の供給画像は表示されないままであった（図４のステップ［６］）。しかし、新たに画像供給装置が接続された場合に、レイアウト枠に空きがない場合には、自動的に表示モードを切り替えてレイアウト枠を生成し、即時に、その供給画像を表示するものとしても良い。
【０１２３】
B11．変形例１１：
上記実施例において、操作ウィンドウ３００のスクリーン画像３１０に表示された供給画像５０１ａ〜５０１ｄを、ポインター３４１によって他のレイアウト枠にドラッグすることにより、各供給画像５０１ａ〜５０１ｄの表示位置を変更できるものとしても良い。
【０１２４】
B12．変形例１２：
上記実施例において、画像表示装置２００は、投写スクリーンＳＣに画像を投写するプロジェクターとして構成されていた。しかし、画像表示装置２００は、プロジェクターでなくとも良く、例えば、液晶ディスプレイや、有機ＥＬディスプレイなどに画像を生成する画像表示装置であるものとしても良い。
【０１２５】
B13．変形例１３：
上記実施例において、画像供給装置１００ａ〜１００ｄは、パーソナルコンピューターによって構成されていたが、画像供給装置１００ａ〜１００ｄは、パーソナルコンピューターによって構成されていなくとも良い。また、画像供給装置１００ａ〜１００ｄがパーソナルコンピューターによって構成される場合であっても、搭載されるオペレーションシステムは、Ｗｉｎｄｏｗｓ（登録商標）でなくとも良い。ただし、画像供給装置１００ａ〜１００ｄは、表示画像から操作ウィンドウ３００を除いた画像をキャプチャできる機能を有することが好ましい。
【０１２６】
B14．変形例１４：
上記実施例において、各画像供給装置１００ａ〜１００ｄと画像表示装置２００とは、無線によって互いに接続されていたが、各画像供給装置１００ａ〜１００ｄと画像表示装置２００とは、有線によって接続されるものとしても良い。
【符号の説明】
【０１２７】
１０００…画像表示システム
１００ａ〜１００ｄ…画像供給装置
１０１ａ〜１０１ｄ…デスクトップ画面
１１０…ＣＰＵ
１３０…ＶＲＡＭ
１４０…ＲＡＭ
１５０…操作部
１６０…表示部
１７０…無線ＬＡＮ／ＩＦ
１８０…バス
２００…画像表示装置
２１０…ＣＰＵ
２２０…ＥＥＰＲＯＭ
２３０…ＲＡＭ
２４０…ＶＲＡＭ
２５０…操作部
２６０…画像表示部
２７０…光学系
２８０…無線ＬＡＮ／ＩＦ
２９０…バス
３００…操作ウィンドウ
３１０…スクリーン画像
３２０…表示モード切替ボタン
３２１…第１のボタン
３２２…第２のボタン
３２３…第３のボタン
３３０…ＩＤ画像表示領域
３３１ａ〜３３１ｄ…ＩＤ画像
３３２ａ〜３３２ｄ…供給画像サムネール
３３３ａ…ユーザー識別用画像
３４１…ポインター
３４２…スライダー
４００…待ち受け画像
５０１ａ〜５０１ｄ…供給画像
ＣＡ，ＬＡ，ＲＡ，ＵＡ，ＤＡ…領域
Ｍ１…画像キャプチャモジュール
Ｍ２…供給画像生成モジュール
Ｍ３…通信制御モジュール
Ｍ４…ユーザーインターフェースモジュール
Ｍ２１…画像取得モジュール
Ｍ２２…表示レイアウト制御モジュール
Ｍ２３…表示画像生成モジュール
Ｍ２４…表示画像出力モジュール
Ｍ２５…更新情報生成モジュール
Ｍ２６…通信制御モジュール
Ｐ１…画像供給プログラム
Ｐ２０…制御プログラム
ＳＣ…投写スクリーン
【図１】
2010278824.tif 000003
【図２】
2010278824.tif 000004
【図３】
2010278824.tif 000005
【図４】
2010278824.tif 000006
【図５】
2010278824.tif 000007
【図６】
2010278824.tif 000008
【図７】
2010278824.tif 000009
【図８】
2010278824.tif 000010
【図９】
2010278824.tif 000011
【図１０】
2010278824.tif 000012
【図１１】
2010278824.tif 000013
【図１２】
2010278824.tif 000014
【図１３】
2010278824.tif 000015
【図１４】
2010278824.tif 000016
【図１５】
2010278824.tif 000017
【図１６】
2010278824.tif 000018
【図１７】
2010278824.tif 000019
【図１８】
2010278824.tif 000020
【図１９】
2010278824.tif 000021
【図２０】
2010278824.tif 000022
【図２１】
2010278824.tif 000023
【図２２】
2010278824.tif 000024
【図２３】
2010278824.tif 000025
【図２４】
2010278824.tif 000026
【図２５】
2010278824.tif 000027
【図２６】
2010278824.tif 000028
【図２７】
2010278824.tif 000029
【図２８】
2010278824.tif 000030
【図２９】
2010278824.tif 000031
【図３０】
2010278824.tif 000032
【図３１】
2010278824.tif 000033
【図３２】
2010278824.tif 000034